(57)【要約】【課題】製品を構成する購入部品の購入先に、化学物質の含有量の回答要求を重複して要求しないようにする。【解決手段】調査支援装置５は、部品構成ＤＢ装置２を用いて調査依頼の対象製品を構成する購入部品を特定する。そして、前記特定した購入部品のうち、調査対象の化学物質の含有量データが購入部品ＤＢ装置３に記憶されていない購入部品の化学物質を特定する。それから、特定した購入部品の化学物質の含有量の回答要求データを回答要求支援装置６に送信する。回答要求支援装置６は、回答要求データを前記特定した購入部品の購入先のサプライヤ端末８に送信する。【選択図】図１
2005339373.tif 000002
【特許請求の範囲】
【請求項１】
購入部品の化学物質情報を管理する部品管理システムであって、
各製品の部品構成表データが記憶された部品構成記憶部と、
各部品の購入先データおよび化学物質の含有量データが記憶された購入部品記憶部と、
製品の化学物質の含有量に関する調査を支援する調査支援部と、を有し、
前記調査支援部は、
化学物質の調査が必要な部品の情報を記憶する要調査部品記憶手段と、
調査対象製品の識別情報および調査対象化学物質のリストを含む調査依頼の入力を受け付ける調査依頼受付手段と、
前記部品構成記憶部に記憶されている、前記調査依頼受付手段で受け付けた調査依頼に含まれている識別情報を持つ製品の部品構成表データを用いて、当該製品の購入部品を特定する購入部品特定手段と、
前記購入部品特定手段で特定された購入部品のうち、前記購入部品記憶部に化学物質の含有量データが記憶されていない購入部品を検出し、検出した購入部品を未調査部品として、当該購入部品の購入先データおよび前記調査依頼受付手段で受け付けた調査依頼に含まれている化学物質のリストと共に、前記要調査部品記憶手段に記憶する未調査部品検出手段と、
前記購入部品特定手段で特定された購入部品であって且つ前記購入部品記憶部に化学物質の含有量データが記憶されている購入部品各々について、前記調査依頼受付手段で受け付けた調査依頼に含まれている化学物質のリストに掲載されている全ての化学物質の含有量データが前記購入部品記憶部に記憶されているか否かを調べ、記憶されていない場合に、当該購入部品を再調査部品として、当該購入部品の購入先データおよび前記調査依頼受付手段で受け付けた調査依頼に含まれている化学物質のリストに掲載されている化学物質のうち前記購入部品記憶部に含有量データが記憶されていない化学物質と共に、前記要調査部品記憶手段に記憶する再調査部品検出手段と、
前記未調査部品検出手段および前記再調査部品検出手段により前記要調査部品記憶手段に記憶された購入部品のデータを出力する要調査部品出力手段と、を有すること
を特徴とする部品管理システム。
【請求項２】
請求項１に記載の部品管理システムであって、
前記調査支援部は、
前記要調査部品記憶手段に記憶されている購入部品の化学物質について含有量データが前記購入部品記憶部に記憶されているか否かを調べ、記憶されている場合に、前記要調査部品記憶手段に記憶されている当該購入部品の化学物質に調査済みを示すフラグを付与する調査状態監視手段と、
前記購入部品特定手段で特定された購入部品の数と、前記要調査部品記憶手段に記憶されている購入部品のうち何れかの化学物質に前記フラグが付与されていない購入部品の数とを用いて、前記調査依頼に含まれるリストに掲載されている化学物質の含有量データを入手済みの購入部品の割合を示す調査依頼カバー率を算出するカバー率算出手段と、
前記調査依頼カバー率が所定値以上となった場合に、前記購入部品特定手段で特定された購入部品の前記調査依頼のリストに掲載されている化学物質の含有量データを、前記購入部品記憶部から読み出して、前記調査依頼に対する報告書データを作成し出力する報告書データ作成手段と、をさらに有すること
を特徴とする部品管理システム。
【請求項３】
請求項２に記載の部品管理システムであって、
前記カバー率算出手段は、指定された製品を構成する購入部品を前記購入部品特定手段に特定させ、当該製品を構成する購入部品の数と、当該製品を構成する購入部品のうち前記購入部品記憶部に記憶されている購入部品の数とを用いて、化学物質の含有量データを入手済みの購入部品の割合を示す製品カバー率を算出すること
を特徴とする部品管理システム。
【請求項４】
請求項２又は３に記載の部品管理システムであって、
前記カバー率算出手段は、指定された購入先の購入先データに対応付けられて前記要調査部品記憶手段に記憶されている購入部品の化学物質の数と、当該購入部品の化学物質のうち前記フラグが付与されている購入部品の化学物質の数とを用いて、前記購入先からの回答の割合を示す購入先カバー率を算出すること
を特徴とする部品管理システム。
【請求項５】
請求項４に記載の部品管理システムであって、
前記カバー率算出手段は、指定された複数の購入先各々について、当該購入先からの回答の割合を示す購入先カバー率を算出し、前記指定された複数の購入先の前記購入先カバー率に基づいた順位表データを生成すること
を特徴とする部品管理システム。
【請求項６】
請求項１乃至５の何れか一項に記載の部品管理システムであって、
購入部品の購入先に対する化学物質の含有量データの回答要求を支援する回答要求支援部をさらに有し、
前記回答要求支援部は、
購入先データ毎に、端末のアドレスが記憶されたアドレス記憶手段と、
前記要調査部品出力手段より出力された購入品のデータを、当該データに含まれている購入先データに対応付けられて前記アドレス記憶手段に記憶されているアドレスを持つ端末へ、ネットワークを介して送信する回答要求送信手段と、を有すること
を特徴とする部品管理システム。
【請求項７】
請求項１乃至６の何れか一項に記載の部品管理システムであって、
前記購入部品記憶部は、
ネットワークを介して端末より受信した部品の購入先データおよび化学物質の含有量データを記憶すること
を特徴とする部品管理システム。
【請求項８】
コンピュータが購入部品の化学物質情報を管理する部品管理方法であって、
調査対象製品の識別情報および調査対象化学物質のリストを含む調査依頼を入力装置から受け付ける調査依頼受付ステップと、
各製品の部品構成表データが記憶された部品構成記憶部から、前記調査依頼受付ステップで受け付けた調査依頼に含まれている識別情報を持つ製品の部品構成表データを読み出し、当該読み出したデータを用いて、当該製品の購入部品を特定する購入部品特定ステップと、
前記購入部品特定ステップで特定された購入部品のうち、各部品の購入先データおよび化学物質の含有量データが記憶された購入部品記憶部に、化学物質の含有量データが記憶されていない購入部品を検出し、検出した購入部品を未調査部品として、当該購入部品の購入先データおよび前記調査依頼受付ステップで受け付けた調査依頼に含まれている化学物質のリストと共に、記憶装置に記憶する未調査部品検出ステップと、
前記購入部品特定ステップで特定された購入部品であって且つ前記購入部品記憶部に化学物質の含有量データが記憶されている購入部品各々について、前記調査依頼受付ステップで受け付けた調査依頼に含まれている化学物質のリストに掲載されている全ての化学物質の含有量データが前記購入部品記憶部に記憶されているか否かを調べ、記憶されていない場合に、当該購入部品を再調査部品として、当該購入部品の購入先データおよび前記調査依頼受付ステップで受け付けた調査依頼に含まれている化学物質のリストに掲載されている化学物質のうち前記購入部品記憶部に含有量データが記憶されていない化学物質と共に、前記記憶装置に記憶する再調査部品検出ステップと、
前記未調査部品検出ステップおよび前記再調査部品検出ステップにより前記記憶装置に記憶された購入部品のデータを出力装置に出力する要調査部品出力ステップと、を実行すること
を特徴とする部品管理方法。
【請求項９】
購入部品の化学物質情報を管理するための、コンピュータで読み取り可能なプログラムであって、
調査対象製品の識別情報および調査対象化学物質のリストを含む調査依頼を入力装置から受け付ける調査依頼受付ステップと、
各製品の部品構成表データが記憶された部品構成記憶部から、前記調査依頼受付ステップで受け付けた調査依頼に含まれている識別情報を持つ製品の部品構成表データを読み出し、当該読み出したデータを用いて、当該製品の購入部品を特定する購入部品特定ステップと、
前記購入部品特定ステップで特定された購入部品のうち、各部品の購入先データおよび化学物質の含有量データが記憶された購入部品記憶部に、化学物質の含有量データが記憶されていない購入部品を検出し、検出した購入部品を未調査部品として、当該購入部品の購入先データおよび前記調査依頼受付ステップで受け付けた調査依頼に含まれている化学物質のリストと共に、記憶装置に記憶する未調査部品検出ステップと、
前記購入部品特定ステップで特定された購入部品であって且つ前記購入部品記憶部に化学物質の含有量データが記憶されている購入部品各々について、前記調査依頼受付ステップで受け付けた調査依頼に含まれている化学物質のリストに掲載されている全ての化学物質の含有量データが前記購入部品記憶部に記憶されているか否かを調べ、記憶されていない場合に、当該購入部品を再調査部品として、当該購入部品の購入先データおよび前記調査依頼受付ステップで受け付けた調査依頼に含まれている化学物質のリストに掲載されている化学物質のうち前記購入部品記憶部に含有量データが記憶されていない化学物質と共に、前記記憶装置に記憶する再調査部品検出ステップと、
前記未調査部品検出ステップおよび前記再調査部品検出ステップにより前記記憶装置に記憶された購入部品のデータを出力装置に出力する要調査部品出力ステップとを、前記コンピュータに実行させること
を特徴とするコンピュータで読み取り可能なプログラム。
【発明の詳細な説明】
【技術分野】
【０００１】
本発明は、購入部品の化学物質情報を管理する技術に関する。
【背景技術】
【０００２】
非特許文献１には、製品の納品先からの調査依頼に従い、当該製品を構成する購入部品の購入先に、当該購入部品における化学物質の含有量の回答要求を送信するシステムが開示されている。
【０００３】
【非特許文献１】グリーン調達調査共通化協議会編著  「グリーン調達の実務  電気・電子機器用部材のグリーン調達調査共通化指針」  社団法人産業環境管理協会発行  平成１５年９月２０日  第２０頁-第１０１頁
【発明の開示】
【発明が解決しようとする課題】
【０００４】
通常、調査対象となる化学物質の範囲は、製品の納品先によって異なるが、一部重複していることも多い。また、異なる製品に同じ購入部品を利用していることがあり、一方の製品に対する化学物質の調査に際し、当該購入部品については他方の製品に対する化学物質の調査において調査済みの場合もある。
【０００５】
しかし、非特許文献１に記載のシステムは、これらの点を考慮しておらず、製品の納品先からの調査依頼を受ける都度、当該製品を構成する購入部品の購入先に、当該購入部品における化学物質の含有量の回答要求を送信していた。
【０００６】
本発明は上記事情に鑑みてなされたものであり、製品を構成する購入部品の購入先に、化学物質の含有量の回答要求を重複して要求しないようにすることにある。
【課題を解決するための手段】
【０００７】
上記課題を解決するために、本発明は、製品の納品先からの調査依頼に対して、当該製品を構成する購入部品のうち真に調査が必要な購入部品の化学物質を特定する。
【０００８】
例えば、本発明の部品管理システムは、製品毎に、製品の部品構成表データが記憶された部品構成記憶部と、部品毎に、部品の購入先データおよび化学物質の含有量データが記憶された購入部品記憶部と、製品の化学物質の含有量に関する調査を支援する調査支援部と、を有する。そして、前記調査支援部は、
化学物質の調査が必要な部品の情報を記憶する要調査部品記憶手段と、
調査対象製品の識別情報および調査対象化学物質のリストを含む調査依頼の入力を受け付ける調査依頼受付手段と、
前記部品構成記憶部に記憶されている、前記調査依頼受付手段で受け付けた調査依頼に含まれている識別情報を持つ製品の部品構成表データを用いて、当該製品の購入部品を特定する購入部品特定手段と、前記購入部品特定手段で特定された購入部品のうち、前記購入部品記憶部に化学物質の含有量データが記憶されていない購入部品を検出し、検出した購入部品を未調査部品として、当該購入部品の購入先データおよび前記調査依頼受付手段で受け付けた調査依頼に含まれている化学物質のリストと共に、前記要調査部品記憶手段に記憶する未調査部品検出手段と、
前記購入部品特定手段で特定された購入部品であって且つ前記購入部品記憶部に化学物質の含有量データが記憶されている購入部品各々について、前記調査依頼受付手段で受け付けた調査依頼に含まれている化学物質のリストに掲載されている全ての化学物質の含有量データが前記購入部品記憶部に記憶されているか否かを調べ、記憶されていない場合に、当該購入部品を再調査部品として、当該購入部品の購入先データおよび前記調査依頼受付手段で受け付けた調査依頼に含まれている化学物質のリストに掲載されている化学物質のうち前記購入部品記憶部に含有量データが記憶されていない化学物質と共に、前記要調査部品記憶手段に記憶する再調査部品検出手段と、
前記未調査部品検出手段および前記再調査部品検出手段により前記要調査部品記憶手段に記憶された購入部品のデータを出力する要調査部品出力手段と、を有する。
【発明の効果】
【０００９】
本発明では、調査対象製品を構成する購入部品のうち、調査対象化学物質の含有量データが購入部品記憶部に記憶されていない購入部品の化学物質を特定する。このように、本発明によれば、真に調査が必要な購入部品の化学物質を特定することができるので、購入部品の購入先に、化学物質の含有量の回答要求を重複して要求しないようにすることができる。
【発明を実施するための最良の形態】
【００１０】
以下に、本発明の実施の形態を説明する。
【００１１】
図１は本発明の一実施形態が適用された部品管理システムの概略構成図である。図示するように、部品管理システム１は、インターネット等のネットワーク９を介して、部品の購入先のネットワーク端末であるサプライヤ端末８に接続されている。また、部品管理システム１は、部品構成ＤＢ（データベース）装置２と、購入部品ＤＢ装置３と、顧客ＤＢ装置４と、調査支援装置５と、回答要求支援装置６と、各装置２〜６を相互接続するＬＡＮ等のネットワーク７と、を有する。
【００１２】
部品構成ＤＢ装置２は、各製品の部品構成表を管理する。部品構成表とは、製品を部品展開することで得られる構成部品のツリー構造を部品間の親子関係により表現したデータである。図３（Ａ）は部品構成表の模式図である。ここで、符号２０４は部品の識別情報である部品番号、符号２０５は部品名称である。
【００１３】
図２は部品構成ＤＢ装置２の概略構成図である。図示するように、ネットワーク７に接続するためのネットワークＩＦ部２０１と、部品番号記憶部２０２と、親子関係記憶部２０３と、記憶部２０２、２０３へのアクセスを制御する記憶制御部２０４と、を有する。
【００１４】
部品番号記憶部２０２には、各種製品の構成部品の情報が記憶されている。図３（Ｂ）は部品番号記憶部２０２の登録内容例を示す図である。図示するように、部品の部品番号を登録するためのフィールド２０２２と、当該部品の部品名称を登録するためのフィールド２０２３とを備えて、１つのレコード２０２１が形成されている。
【００１５】
親子関係記憶部２０３には、部品番号記憶部２０２にレコードが記憶されている各部品の親子関係が記憶されている。図３（Ｃ）は親子関係記憶部２０３の登録内容例を示す図である。図示するように、親部品の部品番号を登録するためのフィールド２０３２と、子部品の部品番号を登録するためのフィールド２０３３と、子部品の員数を登録するためのフィールド２０３４とを備えて、１つのレコード２０３１が形成されている。
【００１６】
図１に戻って説明を続ける。購入部品ＤＢ装置３は、各部品の購入先および化学物質の含有量を管理する。図４は購入部品ＤＢ装置３の概略構成図である。図示するように、ネットワーク７、９に接続するためのネットワークＩＦ部３０１と、購入先記憶部３０２と、物質番号記憶部３０３と、含有量記憶部３０４と、記憶部３０２〜３０４へのアクセスを制御する記憶制御部３０５と、を有する。
【００１７】
購入先記憶部３０２には、各購入部品の購入先の情報が記憶されている。図５（Ａ）は購入先記憶部３０２の登録内容例を示す図である。図示するように、部品の部品番号を登録するためのフィールド３０２２と、当該部品の購入先の識別情報（購入先ＩＤ）を登録するためのフィールド３０２３と、当該部品の購入先での管理番号（購入先型番）を登録するためのフィールド３０２４と、当該部品の部品名を登録するためのフィールド３０２５と、当該部品の質量を登録するためのフィールド３０２６とを備えて、１つのレコード３０２１が形成されている。
【００１８】
物質番号記憶部３０３には、各化学物質の物質番号が記憶されている。図５（Ｂ）は物質番号記憶部３０３の登録内容例を示す図である。図示するように、化学物質の物質番号（ＣＡＳ登録番号）を登録するためのフィールド３０３２と、当該化学物質の名称を登録するためのフィールド３０３３とを備えて、１つのレコード３０３１が形成されている。
【００１９】
含有量記憶部３０４には、購入部品の購入先から報告された当該購入部品における化学物質の含有量が記憶される。図５（Ｃ）は含有量記憶部３０４の登録内容例を示す図である。図示するように、購入部品の購入先ＩＤを登録するためのフィールド３０４２と、当該購入部品の購入先型番を登録するためのフィールド３０４３と、調査対象化学物質の物質番号を登録するためのフィールド３０４４と、当該購入部品における当該調査対象化学物質の含有量を登録するためのフィールド３０４５とを備えて、１つのレコード３０４１が形成されている。
【００２０】
図１に戻って説明を続ける。顧客ＤＢ装置４は、製品の納品先（顧客）の情報を管理する。図６は顧客ＤＢ装置４の概略構成図である。図示するように、ネットワーク７に接続するためのネットワークＩＦ部４０１と、顧客記憶部４０２と、記憶部４０２へのアクセスを制御する記憶制御部４０３と、を有する。
【００２１】
顧客記憶部４０２には、顧客（製品の納品先）各々が調査を要求する化学物質の情報が記憶されている。図７は顧客記憶部４０２の登録内容例を示す図である。図示するように、顧客の識別情報（顧客ＩＤ）を登録するためのフィールド４０２２と、当該顧客が含有量の調査を要求する化学物質の物質番号のリストを登録するためのフィールド４０２３とを備えて、１つのレコード４０２１が形成されている。
【００２２】
図１に戻って説明を続ける。調査支援装置５は、顧客の製品に対する化学物質の調査依頼に対して、当該製品を構成する購入部品のうち真に調査が必要な購入部品の化学物質を特定する。図８は調査支援装置５の概略構成図である。図示するように、演算部５００と、記憶部５２０と、キーボード、ディスプレイ、ＣＤ-ＲＯＭドライブ等の周辺装置と情報の入出力を行なう入出力部５４０と、ネットワーク７に接続するためのネットワークＩＦ部５６０と、を有する。
【００２３】
記憶部５２０は、調査依頼登録部５２１と、要調査部品登録部５２２と、購入部品登録部５２３と、を有する。
【００２４】
調査依頼登録部５２１には、顧客の調査依頼データが登録される。図９（Ａ）は調査依頼登録部５２１の登録内容例を示す図である。図示するように、調査依頼の識別情報（依頼ＩＤ）を登録するためのフィールド５２１１と、顧客の顧客ＩＤを登録するためのフィールド５２１２と、当該顧客から調査を依頼された製品の部品番号を登録するためのフィールド５２１３と、当該顧客から調査を依頼されている化学物質の物質番号のリストを登録するためのフィールド５２１４と、当該顧客への調査報告の期限を登録するためのフィールド５２１５と、当該顧客に対し調査報告済みか否かを示すフラグを登録するためのフィールド５２１６とを備えて、１つのレコード５２１０が形成されている。
【００２５】
要調査部品登録部５２２には、調査依頼毎に、化学物質の調査が必要な部品の情報が登録される。図９（Ｂ）は要調査部品登録部５２２の登録内容例を示す図である。図示するように、調査依頼登録部５２１に登録されている調査依頼のレコード５２１０の依頼ＩＤ毎にテーブル５２２５が設けられている。テーブル５２２４には、化学物質の調査が必要な購入部品のレコード５２２０が登録されている。レコード５２２０は、購入部品の購入先型番を登録するためのフィールド５２２１と、当該購入部品の購入先ＩＤを登録するためのフィールド５２２２と、当該購入部品に対して調査が必要な化学物質の物質番号のリストを登録するためのフィールド５２２３と、調査済みか否かを示すフラグを登録するためのフィールド５２２４とを有する。
【００２６】
そして、購入部品登録部５２３は、調査依頼対象の製品毎に、当該製品を構成する購入部品の情報が登録される。図９（Ｃ）は購入部品登録部５２３の登録内容例を示す図である。図示するように、調査依頼の対象製品の部品番号を登録するためのフィールド５２３１と、調査依頼の対象製品を構成する購入部品の部品番号のリストを登録するためのフィールド５２３２とを備えて、１つのレコード５２３０が形成されている。
【００２７】
次に、演算部５００は、調査依頼受付部５０１と、購入部品特定部５０２と、未調査部品検出部５０３と、再調査部品検出部５０４と、要調査部品出力部５０５と、調査状態監視部５０６と、カバー率算出部５０７と、調査報告作成部５０８とを有する。
【００２８】
図１０は、調査支援装置５の動作を説明するためのフロー図である。
【００２９】
入出力部５４０は、入力装置を介してユーザから調査依頼の登録指示を受け付けると（ステップＳ１１でＹＥＳ）、これを調査依頼受付部５０１へ通知する。これを受けて、調査依頼受付部５０１は、例えば入出力部５４０を介して表示装置に情報入力画面を表示させ、入出力部５４０を介して入力装置から顧客ＩＤ、調査対象製品の部品番号および調査報告の期限を受け付ける（ステップＳ１２）。
【００３０】
それから、調査依頼受付部５０１は、ネットワークＩＦ部５６０を介して顧客ＤＢ装置４にアクセスし、顧客記憶部４０２からステップＳ１２で受け付けた顧客ＩＤを持つレコード４０２１を読み出す。そして、読み出したレコード４０２１に登録されている化学物質の物質番号のリストを特定する（ステップＳ１３）。
【００３１】
次に、調査依頼受付部５０１は、調査依頼登録部５２１に新たなレコード５２１０を追加し、この新たに追加したレコード５２１０のフィールド５２１１にユニークな依頼ＩＤを、フィールド５２１２、５２１３、５２１５にステップＳ１２で受け付けた顧客ＩＤ、調査対象製品の部品番号、調査報告の期限を、フィールド５２１４にステップＳ１３で特定した化学物質の物質番号のリストを、そして、フィールド５２１６に調査未報告であることを示すフラグを登録する（ステップＳ１４）。その後、ステップＳ１１に戻る。
【００３２】
また、入出力部５４０は、入力装置を介してユーザから調査開始の指示を受け付けると（ステップＳ１５でＹＥＳ）、これを購入部品特定部５０２へ通知する。これを受けて、購入部品特定部５０２は、例えば入出力部５４０を介して表示装置に、調査依頼登録部５２１に登録されている調査依頼のレコード５２１０の内容を表示させ、入出力部５４０を介して入力装置から調査を開始する調査依頼の選択を受け付ける（ステップＳ１６）。
【００３３】
次に、購入部品特定部５０２は、ネットワークＩＦ部５６０を介して部品構成ＤＢ装置２にアクセスし、部品番号記憶部２０２および親子関係記憶部２０３を用いて、ステップＳ１６で選択された調査依頼の対象製品を構成する購入部品を特定する。そして、特定した購入部品の情報を調査依頼の対象製品に対応付けて購入部品登録部５２３に登録する。また、調査依頼の依頼ＩＤおよび対象製品の部品番号を未調査部品検出部５０３に通知する（ステップＳ１７）。このステップＳ１７の詳細は後述する。
【００３４】
次に、未調査部品検出部５０３は、購入部品特定部５０２より依頼ＩＤおよび部品番号を受け取ると、ネットワークＩＦ部５６０を介して購入部品ＤＢ装置３にアクセスし、購入先記憶部３０２、物質番号記憶部３０３および含有量記憶部３０４を用いて、当該部品番号により特定される調査依頼の対象製品を構成する購入部品のうち、化学物質が未調査の購入部品を検出し、検出した購入部品各々の部品番号をステップＳ１３で特定した化学物質の物質番号のリストと共に、要調査部品登録部５２２内の当該依頼ＩＤに対応付けられているテーブル５２２５に登録する。また、化学物質が調査済みの各購入部品の部品番号を、調査依頼の依頼ＩＤと共に再調査部品検出部５０４に通知する（ステップＳ１８）。このステップＳ１８の詳細は後述する。
【００３５】
次に、再調査部品検出部５０４は、未調査部品検出部５０３より依頼ＩＤおよび部品番号を受け取ると、ネットワークＩＦ部５６０を介して購入部品ＤＢ装置３にアクセスし、購入先記憶部３０２、物質番号記憶部３０３および含有量記憶部３０４を用いて、受け取った部品番号により特定される購入部品（化学物質が調査済みの購入部品）のうち、化学物質の再調査が必要な購入部品を検出し、検出した購入部品各々の部品番号を調査すべき化学物質の物質番号のリストと共に、要調査部品登録部５２２内の当該依頼ＩＤに対応付けられているテーブル５２２５に登録する。また、調査依頼の依頼ＩＤを要調査部品出力部５０５に通知する（ステップＳ１９）。このステップＳ１９の詳細は後述する。
【００３６】
次に、要調査部品出力部５０５は、再調査部品検出部５０４より依頼ＩＤを受け取ると、当該依頼ＩＤに対応付けられて要調査部品登録部５２２に登録されているテーブル５２２５を読み出すと共に、調査依頼登録部５２１内の当該依頼ＩＤを持つレコード５２１５のフィールド５２１６に登録されている調査報告の期限を読み出す。そして、読み出したテーブル５２２５および調査報告の期限を有する回答要求データを生成し、ネットワークＩＦ部５６０を介して回答要求支援装置６へ送信する（ステップＳ２０）。その後、ステップＳ１１に戻る。
【００３７】
また、調査状態監視部５０６は、定期的に購入部品ＤＢ装置３にアクセスし、要調査部品登録部５２２に登録されている各レコード５２２０について、購入部品の化学物質のデータが購入部品ＤＢ装置３の含有量記憶部３０４に登録されているか否かを調べる。そして、その調査結果を要調査部品登録部５２２に登録されている各レコード５２２０のフィールド５２２４のフラグに反映させる（ステップＳ２１）。このステップＳ２１の詳細は後述する。
【００３８】
また、カバー率算出部５０７は、定期的に、調査依頼登録部５１２にレコード５２１０が登録されている各調査依頼について、調査依頼の対象製品を構成する購入部品に対する、調査を依頼されている化学物質が調査済みである購入部品の割合を示す調査依頼単位のカバー率を算出する。そして、算出した調査依頼単位カバー率を、当該調査依頼の依頼ＩＤと共に、調査報告作成部５０８に通知する（ステップＳ２２）。このステップＳ２２の詳細は後述する。
【００３９】
また、調査報告作成部５０８は、定期的に、調査報告の作成タイミングとなった調査依頼が存在するか否かを判断する。具体的には、カバー率算出部５０７から調査依頼の依頼ＩＤと共に受け取った調査依頼単位カバー率が所定のしきい値以上である場合、当該依頼ＩＤにより特定される調査依頼が調査報告の作成タイミングになったものと判断する。また、入出力部５４０を介して入力装置から依頼ＩＤの指定を伴う調査報告作成指示を受け付けた場合、指定された依頼ＩＤにより特定される調査依頼が調査報告の作成タイミングになったものと判断する。また、調査依頼登録部５２１に、フィールド５２１６に調査未報告であることを示すフラグが登録され、且つ、現在からフィールド５２１５に登録されている報告期限までの日数が所定のしきい値未満となったレコード５２１０が登録されている場合、当該レコード５２１０のフィールド５２１１に登録されている依頼ＩＤにより特定される調査依頼が、調査報告の作成タイミングになったものと判断する（ステップＳ２３）。
【００４０】
そして、調査報告作成部５０８は、調査報告の作成タイミングとなった調査依頼を検出したならば（ステップＳ２３でＹＥＳ）、当該調査依頼の調査報告データを作成し、入出力部５４０を介して出力装置から出力する（ステップＳ２４）。その後、ステップＳ１１に戻る。
【００４１】
具体的には、調査報告作成部５０８は、調査報告を作成すべき調査依頼の依頼ＩＤを持つ調査依頼登録部５２１のレコード５２１０から、調査依頼の対象製品の部品番号（フィールド５２１３）および化学物質の物質番号リスト（フィールド５２１４）を読み出す。また、購入部品記憶部５２３の調査依頼の対象製品の部品番号を持つレコード５２３０から各購入部品の部品番号を読み出す。次に、調査報告作成部５０８は、ネットワークＩＦ部５６０を介して購入部品ＤＢ装置３にアクセスする。そして、読み出した各購入部品の部品番号について、次の処理を行う。先ず、部品番号に対応する購入先ＩＤおよび購入先型番を、購入先記憶部３０２を用いて特定し、特定した購入先ＩＤおよび購入先型番を持つ全てのレコード３０４１を含有量記憶部３０４から読み出す。読み出したレコード３０４１のうち、フィールド３０４４に登録されている化学物質の物質番号が、調査依頼の対象製品の化学物質の物質番号リストに登録されている否かを調べ、登録されているレコード３０４１を調査報告対象レコードに選出する。それから、調査報告作成部５０８は、調査依頼の対象製品の各購入部品について選出した調査報告対象レコードの情報を含む調査報告データを作成し、これを入出力部５４０を介して出力装置から出力する。
【００４２】
また、入出力部５４０は、入力装置を介してユーザから、製品を構成する購入部品に対する、化学物質が調査済みである購入部品の割合を示す製品単位のカバー率の算出指示を受け取ると（ステップＳ２５でＹＥＳ）、カバー率算出部５０７は、製品の指定を受け付け、指定された製品の製品単位カバー率を算出し出力する（ステップＳ２６）。その後、ステップＳ１１に戻る。同様に、入出力部５４０は、入力装置を介してユーザから、購入部品の購入先の化学物質の調査に対する回答率を示す購入先単位のカバー率の算出指示を受け取ると（ステップＳ２７でＹＥＳ）、カバー率算出部５０７は、購入先の指定を受け付け、指定された購入先の購入先単位カバー率を算出して出力する（ステップＳ２８）。その後、ステップＳ１１に戻る。なお、ステップＳ２６、Ｓ２８の詳細は後述する。
【００４３】
図１１は図１０のＳ１７での処理（購入部品の特定処理）を説明するためのフロー図である。まず、購入部品特定部５０２は、購入部品登録部５２３に新たなレコード５２３０を追加し、このレコード５２３０のフィールド５２３１に、調査依頼の対象製品の部品番号を登録する（ステップＳ１７１）。次に、購入部品特定部５０２は、ネットワークＩＦ部５６０を介して部品構成ＤＢ装置２にアクセスし、調査依頼の対象製品の部品番号が親部品としてフィールド２０３２に登録されているレコード２０３１を、親子関係記憶部２０３から検索する（ステップＳ１７２）。
【００４４】
次に、購入部品特定部５０２は、検索したレコード２０３１のフィールド２０３３に登録されている部品番号各々について、当該部品番号が親部品としてフィールド２０３２に登録されている部品のレコード２０３１を、親子関係記憶部２０３からさらに検索し、このさらに検索したレコード２０３１の中から、フィールド２０３３に部品番号が登録されていないレコード２０３１を検出する。レコード２０３１のフィールド２０３３に部品番号が登録されていない場合、このレコード２０３１のフィールド２０３２に登録されている部品番号を持つ部品は、子部品を持たない末端部品であり、外部から購入したものである。そこで、この部品番号を購入部品の部品番号として、ステップＳ１７１で追加したレコード５２３０のフィールド５２３２に登録する（ステップＳ１７３）。
【００４５】
次に、購入部品特定部５０２は、ステップＳ１７３でさらに検出した全てのレコード２０３１について、フィールド２０３２に登録されている部品番号を、購入部品の部品番号として、ステップＳ１７１で追加したレコードに登録したか否かを調べる（ステップＳ１７４）。登録していないレコード２０３１が存在するならば（ステップＳ１１７４でＮＯ）、このレコード２０３１のフィールド２０３３に登録されている部品番号が親部品としてフィールド２０３２に登録されているレコード２０３１を、親子関係記憶部２０３から検索し（ステップＳ１７５）、その後、ステップＳ１７２に戻る。登録していないレコード２０３１が存在しないならば（ステップＳ１７４でＹＥＳ）、調査依頼の依頼ＩＤおよび調査依頼の対象製品の部品番号を、未調査部品検出部５０３に通知して、このフローを終了する。
【００４６】
図１２は図１０のＳ１８での処理（未調査の購入部品の検出処理）を説明するためのフロー図である。まず、未調査部品検出部５０３は、要調査部品登録部５２３に新たなテーブル５２２５を、購入部品特定部５０２から受け取った調査依頼の依頼ＩＤに対応付けて登録する（ステップＳ１８１）。
【００４７】
次に、未調査部品特定部５０３は、購入部品登録部５２３から、購入部品特定部５０２から受け取った調査依頼の対象製品の部品番号がフィールド５２３１に登録されているレコード５２３０を検索し、このレコード５２３０のフィールド５２３２から、未注目の購入部品の部品番号を読み出し、これを注目番号とする（ステップＳ１８２）。それから、未調査部品特定部５０３は、ネットワークＩＦ部５６０を介して購入部品ＤＢ装置３にアクセスし、購入先記憶部３０２を用いて注目番号に対応する購入先ＩＤおよび購入先型番を特定する（ステップＳ１８３）。そして、特定した購入先ＩＤおよび購入先型番を持つ化学物質の含有量のレコード３０４１が含有量記憶部３０４に記憶されているか否かを調べる（ステップＳ１８４）。
【００４８】
ステップＳ１８４において、注目番号に対応する購入先ＩＤおよび購入先型番を持つレコード３０４１が含有量記憶部３０４に記憶されていない場合（ステップＳ１８４でＮＯ）、未調査部品特定部５０３は、ステップＳ１８１で登録した調査依頼の依頼ＩＤに対応するテーブル５２２５に、新たなレコード５２２０を追加する。そして、このレコードのフィールド５２２１、５２２２に、注目番号に対応する購入先ＩＤ、購入先型番を、フィールド５２２３に、調査依頼登録部５２１に登録されている、購入部品特定部５０２から受け取った調査依頼の依頼ＩＤを持つレコード５２１０のフィールド５２１４に登録されている化学物質の物質番号リストを、そして、フィールド５２２４に、化学物質の含有量が購入部品の購入先から未回答であることを示すフラグを登録する（ステップＳ１８５）。それから、ステップＳ１８７に進む。一方、ステップＳ１８４において、注目番号に対応する購入先ＩＤおよび購入先型番を持つレコード３０４１が含有量記憶部３０４に記憶されている場合（ステップＳ１８４でＹＥＳ）、未調査部品特定部５０３は、注目番号を持つ購入部品を調査済部品に特定する（ステップＳ１８６）。それから、ステップＳ１８７に進む。
【００４９】
ステップＳ１８７において、未調査部品特定部５０３は、購入部品特定部５０２から受け取った調査依頼の対象製品の部品番号がフィールド５２３１に登録されているレコード５２３０の、フィールド５２３２に登録されている全ての部品番号を、注目番号としたか否かを調べる。全ての部品番号を注目番号としていない場合はステップＳ１８２に戻る。一方、全ての部品番号を注目番号とした場合は、ステップＳ１８６で特定した調査済部品の部品番号を、調査依頼の依頼ＩＤおよび調査依頼の対象製品の部品番号と共に、再調査部品検出部５０４に通知して、このフローを終了する。
【００５０】
図１３は図１０のＳ１９での処理（再調査が必要な購入部品の検出処理）を説明するためのフロー図である。まず、再調査部品検出部５０４は、未調査部品検出部５０３から受け取った調査依頼の依頼ＩＤを持つレコード５２１０を、調査依頼登録部５２１から検索して、当該レコード５２１０のフィールド５２１４に登録されている化学物質の物質番号リストを入手する（ステップＳ１９１）。
【００５１】
次に、再調査部品特定部５０４は、未調査部品特定部５０３から受け取った調査済部品の部品番号の中から未注目の部品番号を１つ選び、これを注目番号とする（ステップＳ１９２）。それから、再調査部品特定部５０４は、ネットワークＩＦ部５６０を介して購入部品ＤＢ装置３にアクセスし、購入先記憶部３０２を用いて注目番号に対応する購入先ＩＤおよび購入先型番を特定する（ステップＳ１９３）。そして、特定した購入先ＩＤおよび購入先型番を持つ化学物質の含有量のレコード３０４１を含有量記憶部３０４から全て読み出す。次に、再調査部品特定部５０４は、ステップＳ１９１で入手した化学物質の物質番号リストに掲載された全ての物質番号について、読み出した何れかのレコード３０４１のフィールド３０４４に登録されているか否かを調べる（ステップＳ１９４）。
【００５２】
化学物質の物質番号リストに掲載された全ての物質番号が読み出した何れかのレコード３０４１のフィールド３０４４に登録されている場合（ステップＳ１９４でＹＥＳ）、再調査は不要であると判断し、ステップＳ１９６に進む。
【００５３】
一方、読み出した何れのレコード３０４１のフィールド３０４４にも登録されていない物質番号が化学物質の物質番号リストにある場合（ステップＳ１９４でＮＯ）、注目番号を持つ調査済部品を再調査部品とする。そして、要調査部品登録部５２２に登録されている、未調査部品特定部５０３から受け取った調査依頼の依頼ＩＤに対応するテーブル５２２５に、新たなレコード５２２０を追加する。次に、このレコードのフィールド５２２１、５２２２に、注目番号に対応する購入先ＩＤ、購入先型番を、フィールド５２２３に、ステップＳ１９１で入手した化学物質の物質番号リストに掲載されている物質番号のうち、注目番号に対応する購入先ＩＤおよび購入先型番を持つ含有量のレコード３０４１に登録されていない物質番号を、そして、フィールド５２２４に、化学物質の含有量が購入部品の購入先から未回答であることを示すフラグを登録する（ステップＳ１９５）。それから、ステップＳ１９６に進む。
【００５４】
ステップＳ１９６において、再調査部品検出部５０４は、未調査部品検出部５０３から受け取った全ての調査済部品の部品番号を、注目番号としたか否かを調べる。全ての部品番号を注目番号としていない場合はステップＳ１９２に戻る。一方、全ての部品番号を注目番号とした場合は、調査依頼の依頼ＩＤを要調査部品出力部５０５に通知して、このフローを終了する。
【００５５】
図１４は図１０のＳ２１での処理（調査状態監視処理）を説明するためのフロー図である。まず、調査状態監視部５０６は、要調査部品登録部５２２に登録されているテーブル５２２５のうち、未注目のテーブル５２２５に注目し、これを注目テーブルとする（ステップＳ２１１）。
【００５６】
次に、調査状態監視部５０６は、注目テーブルに登録されているレコード５２２０のうち、フィールド５２２４に未回答を示すフラグが登録されているレコード５２２０であって且つ未注目のレコード５２２０に、注目して、これを注目レコードとする（ステップＳ２１２）。
【００５７】
それから、調査状態監視部５０６は、ネットワークＩＦ部５６０を介して購入部品ＤＢ装置３にアクセスし、注目レコードのフィールド５２２３に登録されている化学物質の物質番号リストに掲載されている全ての物質番号について、注目レコードのフィールド５２２１、５２２２に登録されている購入先ＩＤ、購入先型番を持つレコード３０４１が、含有量記憶部３０４に記憶されているか否かを調べる（ステップＳ２１３）。登録されている場合は、注目レコードのフィールド５２２４に登録されているフラグを未回答を示すフラグから回答済みを示すフラグに変更し（Ｓ２１４）、それから、ステップＳ２１５に進む。一方、登録されていない場合は、直ちにステップＳ２１５に進む。
【００５８】
ステップＳ２１５において、調査状態監視部５０６は、注目テーブル内の全てのレコード５２２０に注目したか否かを調べ、注目していない場合はステップＳ２１２に戻り、注目している場合はステップＳ２１６に進む。
【００５９】
また、ステップＳ２１６において、調査状態監視部５０６は、要調査部品登録部５２２に登録されている全てのテーブル５２２５に注目したか否かを調べ、注目していない場合はステップＳ２１１に戻る。一方、注目している場合は、カバー率算出部５０７に調査単位カバー率の算出指示を出力し、このフローを終了する。
【００６０】
図１５は図１０のＳ２２での処理（調査単位カバー率の算出処理）を説明するためのフロー図である。まず、カバー率算出部５０７は、調査依頼登録部５２１に登録されているレコード５２１０のうち、フィールド５２１６に調査未報告を示すフラグが登録されているレコード５２１０であって且つ未注目のレコード５２１０に、注目して、これを注目レコードとする（ステップＳ２２１）。
【００６１】
次に、カバー率算出部５０７は、注目レコードのフィールド５２１１に登録されている依頼ＩＤに対応付けられて要調査部品登録部５２２に登録されているテーブル５２２５を特定し、さらにこのテーブル５２２５に登録されているレコード５２２０であって、フィールド５２２４に未回答を示すフラグが登録されているレコード５２２０の数を計測する（ステップＳ２２２）。また、カバー率算出部５０７は、注目レコードのフィールド５２１３に登録されている部品番号がフィールド５２３１に登録されているレコード５２３０を、購入部品記憶部５２３から特定し、このレコード５２３０のフィールド５２３２に登録されている購入部品の部品番号の数を計測する（ステップＳ２２３）。
【００６２】
それから、カバー率算出部５０７は、ステップＳ２２２で計測したレコード５２２０の数と、ステップＳ２２３で計測した購入部品の部品番号の数とを用いて、調査単位カバー率を計算する（ステップＳ２２４）。ステップＳ２２２で計測したレコード５２２０の数をＮ１、ステップＳ２２３で計測した購入部品の部品番号の数をＮ２とした場合、調査単位カバー率＝（Ｎ２-Ｎ１）/Ｎ２となる。その後、カバー率算出部５０７は、算出した調査単位カバー率を、注目レコードのフィールド５２１１に登録されている依頼ＩＤと共に、調査報告作成部５０８に通知する（ステップＳ２２５）。この際、入出力部５４０を介して出力装置にも出力してもよい。
【００６３】
さて、カバー率算出部５０７は、、調査依頼登録部５２１に登録されているレコード５２１０のうち、フィールド５２１６に調査未報告を示すフラグが登録されている全てのレコード５２１０に注目したか否かを調べ、注目していない場合はステップＳ２２１に戻る。一方、注目した場合はこのフローを終了する（ステップＳ２２６）。
【００６４】
図１６は図１０のＳ２６での処理（製品単位カバー率の算出処理）を説明するためのフロー図である。まず、カバー率算出部５０７は、例えば入出力部５４０を介して表示装置に情報入力画面を表示させ、入出力部５４０を介して入力装置から製品単位カバー率を算出する製品の部品番号を受け付ける（ステップＳ２６１）。
【００６５】
次に、カバー率算出部５０７は、ステップＳ２６１で受け付けた部品番号に対して、図１１のＳ１７２〜Ｓ１７５に示す購入部品特定部５０２の処理と同様の処理を実行し、ステップＳ２６１で受け付けた部品番号を持つ製品の購入部品を特定する。そして、購入部品数を計測する（ステップＳ２６２）。
【００６６】
次に、カバー率算出部５０７は、ステップＳ２６１で受け付けた部品番号に対して、図１２のＳ１８２〜Ｓ１８７に示す未調査部品検出部５０３の処理と同様の処理を実行し、ステップＳ２６１で受け付けた部品番号を持つ製品の購入部品のうち、化学物質の調査が行われていない未調査部品を検出する。そして、未調査部品数を計測する（ステップＳ２６３）。
【００６７】
それから、カバー率算出部５０７は、ステップＳ２６２で計測した購入部品数と、ステップＳ２６３で計測した未調査部品数とを用いて、製品単位カバー率を計算する（ステップＳ２６４）。購入部品数をＭ２、未調査部品数をＭ１とした場合、製品単位カバー率＝（Ｍ２-Ｍ１）/Ｍ２となる。その後、カバー率算出部５０７は、算出した製品単位のカバー率を、入出力部５４０を介して出力装置に出力する。
【００６８】
図１７は図１０のＳ２８での処理（購入先単位カバー率の算出処理）を説明するためのフロー図である。まず、カバー率算出部５０７は、例えば入出力部５４０を介して表示装置に情報入力画面を表示させ、入出力部５４０を介して入力装置から購入先単位カバー率を算出する購入部品の購入先ＩＤを少なくとも１つ受け付ける（ステップＳ２８１）。
【００６９】
次に、カバー率算出部５０７は、ステップＳ２８１で受け付けた購入先ＩＤのうち未注目の購入先ＩＤに注目し（ステップＳ２８２）、要調査部品登録部５２２に登録されている全てのテーブル５２２５から、フィールド５２２２に注目の購入先ＩＤが登録されているレコード５２２０を検索し、そのレコード数を計測する（ステップＳ２８３）。また、要調査部品登録部５２２に登録されている全てのテーブル５２２５から、フィールド５２２２に注目の購入先ＩＤが登録されているレコード５２２０であって、且つ、フィールド５２２４に回答済みを示すフラグが登録されているレコード５２２０を検索し、そのレコード数を計測する（ステップＳ２８４）。
【００７０】
それから、カバー率算出部５０７は、ステップＳ２８３で計測したレコード数と、ステップＳ２８４で計測したレコード数とを用いて、購入先単位カバー率を計算する（ステップＳ２８５）。ステップＳ２８３で計測したレコード数をＬ２、ステップＳ２８４で計測したレコードをＬ１とした場合、購入先単位カバー率＝Ｌ１/Ｌ２となる。
【００７１】
次に、カバー率算出部５０７は、ステップＳ２８１で受け付けた全ての購入先ＩＤに注目したか否かを調べる（ステップＳ２８６）。注目していない場合は、ステップＳ２８２に戻る。一方、注目している場合は、ステップＳ２８１で受け付けた各購入先ＩＤに対しする顧客先単位カバー率を、高い順あるいは低い順にならべた順位表を作成し、これを入出力部５４０を介して出力装置から出力する（ステップＳ２８７）。
【００７２】
図１に戻って説明を続ける。回答要求支援装置６は、調査支援装置５から受信した回答要求データをサプライヤ端末８へ送信する。図１８は回答要求支援装置６の概略構成図である。図示するように、ネットワーク７、９に接続するためのネットワークＩＦ部６０１と、調査支援装置５から受信した回答要求データを記憶する回答要求データ記憶部６０２と、各購入先のサプライヤ端末のアドレスを記憶するサプライヤ端末アドレス記憶部６０３と、要求処理部６０４と、を有する。
【００７３】
要求処理部６０４は、ネットワークＩＦ部６０１を介して調査支援装置５から回答要求データを受信すると、これを回答要求データ記憶部６０２に記憶する。また、回答要求データに含まれているテーブル５２２５（図９（Ｂ）参照）に含まれている各レコード５２２０を、顧客先ＩＤ毎にグループ化する。そして、グループ化されたレコード５２２０を、当該グループの顧客先ＩＤに対応付けられてサプライヤ端末アドレス記憶部６０３に記憶されているサプライヤ端末８のアドレスへ、回答要求データに含まれている報告期限と共に送信する。
【００７４】
上記構成の部品管理システム１を構成する各装置２〜６は、例えば図１９に示すような、ＣＰＵ９０１と、メモリ９０２と、ＨＤＤ等の外部記憶装置９０３と、ＣＤ-ＲＯＭやＤＶＤ-ＲＯＭ等の可搬性を有する記憶媒体９０４から情報を読み出す読取装置９０５と、キーボードやマウスなどの入力装置９０６と、ディスプレイなどの出力装置９０７と、通信ネットワークに接続するための通信装置９０８と、を備えた一般的なコンピュータシステムにおいて、ＣＰＵ９０１がメモリ９０２上にロードされた所定のプログラムを実行することで実現できる。
【００７５】
この所定のプログラムは、読取装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介してネットワークから、メモリ９０２上に直接ロードされ、ＣＰＵ９０１により実行されるようにしてもよい。なお、この場合において、記憶部にはメモリ９０２や外部記憶装置９０３や記憶媒体９０４が利用され、ネットワークＩＦ部には通信装置９０８が利用される。
【００７６】
次に、上記構成の部品管理システム１の調査依頼受付から調査報告作成までの動作の概要を説明する。図２０は部品管理システム１の調査依頼受付から調査報告作成までの動作の概要を説明するためのフロー図である。
【００７７】
調査支援装置５は、ユーザより調査依頼の指示を受け付けると、図１０のステップＳ１２〜Ｓ１４を実行する。すなわち、ユーザから顧客ＩＤ、調査対象製品の部品番号を受け付けると共に、顧客ＤＢ装置４から顧客ＩＤを持つ顧客が調査を依頼する化学物質の物質番号のリストを入手する。そして、これらの情報を元に調査依頼のデータを作成し登録する（ステップＳ５０１）。
【００７８】
また、調査支援装置５は、ユーザより調査開始の指示を受け付けると、先ず、図１０のステップＳ１６、Ｓ１７を実行する。すなわち、ユーザから依頼ＩＤを受け付けると共に、この依頼ＩＤにより特定される調査依頼の対象製品の購入部品の情報を、部品構成ＤＢ装置２から入手する（ステップＳ５０２）。次に、図１０のステップＳ１７を実行し、購入部品ＤＢ装置３から未調査部品の情報を入手する（ステップＳ５０３）。さらに、図１０のステップＳ１８を実行し、購入部品ＤＢ装置３から再調査部品の情報を入手する（ステップＳ５０４）。
【００７９】
それから、調査支援装置５は、図１０のステップＳ２０を実行し、未調査部品および再調査部品の情報を用いて回答要求データを作成して、回答要求支援装置６に送信する。これを受けて、回答要求支援装置６は、回答要求データを、未調査部品および再調査部品の購入先のサプライヤ端末８に送信する（ステップＳ５０５）。
【００８０】
さて、未調査部品および再調査部品の購入先は、回答要求データに従い、これらの部品の含まれている調査対象の化学物質の含有量データを作成し、これをサプライヤ端末８を用いて、購入部品ＤＢ装置３に登録する（ステップＳ５０６）。
【００８１】
一方、調査支援装置５は、定期的に図１０のＳ２１、Ｓ２２を実行し、要調査部品登録部５２２の各テーブル５２２５に登録されている各レコード５２２０のフィールド５２２４に登録されているフラグの更新、および、調査単位カバー率の算出を行う（Ｓ５０７）。そして、調査単位カバー率が所定のしきい値以上となった調査依頼に対して、図１０のＳ２４を実行し、調査報告書を作成する（ステップＳ５０７）。
【００８２】
以上、本発明の一実施形態について説明した。
【００８３】
本実施形態において、調査支援装置５は、調査依頼の対象製品を構成する購入部品のうち、調査対象の化学物質の含有量データが購入部品ＤＢ装置３に記憶されていない購入部品の化学物質を特定する。そして、特定した化学物質の含有量の回答要求を、特定した購入部品の購入先に送信する。このように、本実施形態によれば、真に調査が必要な購入部品の化学物質を特定することができるので、購入部品の購入先に、化学物質の含有量の回答要求を重複して送信しないようにすることができる。
【００８４】
なお、本発明は上記の実施形態に限定されるものではなく、その要旨の範囲内で数々の変形が可能である。
【００８５】
例えば上記の実施形態では、部品管理システム１を構成する各装置２〜６をそれぞれ別のコンピュータを用いて構築しているが、本発明はこれに限定さればい。部品管理システム１を構成する２以上の装置を１つのコンピュータを用いて構築してもよいし、あるいは、部品管理システム１を構成する１つの装置を複数のコンピュータを用いて構築するようにしても構わない。
【図面の簡単な説明】
【００８６】
【図１】図１は本発明の一実施形態が適用された部品管理システムの概略図である。
【図２】図２は部品構成ＤＢ装置２の概略構成図である。
【図３】図３（Ａ）は部品構成表の模式図であり、図３（Ｂ）は部品番号記憶部２０２の登録内容例を示す図であり、そして、図３（Ｃ）は親子関係記憶部２０３の登録内容例を示す図である。
【図４】図４は購入部品ＤＢ装置３の概略構成図である。
【図５】図５（Ａ）は購入先記憶部３０２の登録内容例を示す図であり、図５（Ｂ）は物質番号記憶部３０３の登録内容例を示す図であり、そして、図５（Ｃ）は含有量記憶部３０４の登録内容例を示す図である。
【図６】図６は顧客ＤＢ装置４の概略構成図である。
【図７】図７は顧客記憶部４０２の登録内容例を示す図である。
【図８】図８は調査支援装置５の概略構成図である。
【図９】図９（Ａ）は調査依頼登録部５２１の登録内容例を示す図であり、図９（Ｂ）は要調査部品登録部５２２の登録内容例を示す図であり、そして、図９（Ｃ）は購入部品登録部５２３の登録内容例を示す図である。
【図１０】図１０は調査支援装置５の動作を説明するためのフロー図である。
【図１１】図１１は図１０のＳ１７での処理（購入部品の特定処理）を説明するためのフロー図である。
【図１２】図１２は図１０のＳ１８での処理（未調査の購入部品の検出処理）を説明するためのフロー図である。
【図１３】図１３は図１０のＳ１９での処理（再調査が必要な購入部品の検出処理）を説明するためのフロー図である。
【図１４】図１４は図１０のＳ２１での処理（調査状態監視処理）を説明するためのフロー図である。
【図１５】図１５は図１０のＳ２２での処理（調査単位カバー率の算出処理）を説明するためのフロー図である。
【図１６】図１６は図１０のＳ２６での処理（製品単位カバー率の算出処理）を説明するためのフロー図である。
【図１７】図１７は図１０のＳ２８での処理（購入先単位カバー率の算出処理）を説明するためのフロー図である。
【図１８】図１８は回答要求支援装置６の概略構成図である。
【図１９】図１９は部品管理システム１を構成する各装置２〜６のハードウエア構成例を示す図である。
【図２０】図２０は部品管理システム１の調査依頼受付から調査報告作成までの動作の概要を説明するためのフロー図である。
【符号の説明】
【００８７】
１：部品管理システム、２：部品構成ＤＢ装置、３：購入部品ＤＢ装置、４：顧客ＤＢ装置、５：調査支援装置、６：回答要求支援装置、７：ネットワーク、８：サプライヤ端末、９：ネットワーク、２０１：ネットワークＩＦ部、２０２：部品番号記憶部、２０３：親子関係記憶部、２０４：記憶制御部、３０１：ネットワークＩＦ部、３０２：購入先記憶部、３０３：物質番号記憶部、３０４：含有量記憶部、３０５：記憶制御部、４０１：ネットワークＩＦ部、４０２：顧客記憶部、４０３：記憶制御部、５００：演算部、５０１：調査依頼受付部、５０２：購入部品特定部、５０３：未調査部品検出部、５０４：再調査部品検出部、５０５：要調査部品出力部、５０６：調査状態監視部、５０７：カバー率算出部、５０８：調査報告作成部、５２０：記憶部、５２１：調査依頼登録部、５２２：要調査部品登録部、５２３：購入部品登録部、５４０：入出力部、５６０：ネットワークＩＦ部、６０１：ネットワークＩＦ部、６０２：回答要求データ記憶部、６０３：サプライヤ端末アドレス記憶部、６０４：要求処理部
【図１】
2005339373.tif 000003
【図２】
2005339373.tif 000004
【図３】
2005339373.tif 000005
【図４】
2005339373.tif 000006
【図５】
2005339373.tif 000007
【図６】
2005339373.tif 000008
【図７】
2005339373.tif 000009
【図８】
2005339373.tif 000010
【図９】
2005339373.tif 000011
【図１０】
2005339373.tif 000012
【図１１】
2005339373.tif 000013
【図１２】
2005339373.tif 000014
【図１３】
2005339373.tif 000015
【図１４】
2005339373.tif 000016
【図１５】
2005339373.tif 000017
【図１６】
2005339373.tif 000018
【図１７】
2005339373.tif 000019
【図１８】
2005339373.tif 000020
【図１９】
2005339373.tif 000021
【図２０】
2005339373.tif 000022